(57)【要約】【課題】強風時でもバタつきにくく、位置ズレを生じにくい簡易構造のバリケード用標識を提供すること。【解決手段】誘導方向や道路状況などの可視情報４を表示する表示部５を備えた標識体６の上側部に、バリケード３の上側の単管２を締付抱持固定する第一クランプ金具７を設けると共に、標識体６の下側部にバリケード３の下側の単管２を締付抱持固定する第二クランプ金具８を設け、前記第一クランプ金具７と前記第二クランプ金具８の少なくとも一方を、前記標識体６に対してスライド移動可能に設けて、この第一クランプ金具７と第二クランプ金具８との間隔を、前記バリケード３の上下二本の単管２の間隔に合せて広狭スライド調整可能に構成する。【選択図】図１
2009299331.tif 000002
【特許請求の範囲】
【請求項１】
単管支持部間に二本の単管を上下に間隔をおいて略平行に架設して成るバリケードのこの上下二本の単管に取付するバリケード用標識において、誘導方向や道路状況などの可視情報を表示する表示部を備えた標識体の上側部に、前記バリケードの上側の単管を締付抱持固定する第一クランプ金具を設けると共に、標識体の下側部にバリケードの下側の単管を締付抱持固定する第二クランプ金具を設け、前記第一クランプ金具と前記第二クランプ金具の少なくとも一方を、前記標識体に対してスライド移動可能に設けて、この第一クランプ金具と第二クランプ金具との間隔を、前記バリケードの上下二本の単管の間隔に合せて広狭スライド調整可能に構成したことを特徴とするバリケード用標識。
【請求項２】
前記標識体の上部若しくは下部に長穴形状のガイド穴を形成し、このガイド穴に沿ってスライド移動自在に前記第一クランプ金具若しくは第二クランプ金具を取付したことを特徴とする請求項１記載のバリケード用標識。
【請求項３】
単管支持部間に二本の単管を上下に間隔をおいて略平行に架設して成るバリケードのこの上下二本の単管に取付するバリケード用標識において、誘導方向や道路状況などの可視情報を表示する表示部を備えた標識体の上側部に、前記バリケードの上側の単管を締付抱持固定する第一クランプ金具を設けると共に、標識体の下側部にバリケードの下側の単管を締付抱持固定する第二クランプ金具を設け、前記標識体は、前記第一クランプ金具を有する上側半体と、前記第二クランプ金具を有する下側半体とから成る構成とすると共に、この上側半体の下側部と下側半体の上側部とを回動自在に枢着して、この上側半体と下側半体の枢着部を支点に上側半体と下側半体とを回動調整することで、第一クランプ金具と第二クランプ金具との間隔を広狭調整可能に構成したことを特徴とするバリケード用標識。
【発明の詳細な説明】
【技術分野】
【０００１】
本発明は、例えば、道路工事現場などで使用されるバリケードに固定して、車両誘導用などの標識とするバリケード用標識に関するものである。
【背景技術】
【０００２】
道路工事現場では、誘導標識を用いて車両などの誘導を行っている。
【０００３】
また、このような道路工事現場用の誘導標識としては、単管支持部間に上下二本の単管を具備した構成のバリケードに取り付けて使用するバリケード用標識が知られている。
【０００４】
このバリケード用標識について簡単に説明すると、誘導方向などを示した可視情報を有するプラスチック製の標識板の上部と下部とに、バリケードの上下の単管に弾圧装着する固定穴が設けられると共に、この固定穴には単管を導入するための導入溝が設けられ、更に、大きさが異なる（上下二本の単管の間隔が異なる）バリケードにも対応して取り付けできるように、下部の固定穴は、上下方向に長さを有する長穴形状に形成された構成とされている（例えば、特許文献１参照。）。
【０００５】
【特許文献１】特開２０００−３４７６０８号公報
【発明の開示】
【発明が解決しようとする課題】
【０００６】
ところが、このような従来のバリケード用標識では、単に固定穴がバリケードの単管に対して弾圧装着する固定構造のためこの固定強度が不足気味であり、強風時には標識板が煽られてバタつき易く、また単管に対して位置ズレを生じ易いという問題点があった。
【０００７】
本発明は、このような従来のバリケード用標識の問題点に注目し、これを極めて簡易な構成により解決することのできる画期的なバリケード用標識を提供するものである。
【課題を解決するための手段】
【０００８】
添付図面を参照して本発明の要旨を説明する。
【０００９】
単管支持部１間に二本の単管２を上下に間隔をおいて略平行に架設して成るバリケード３のこの上下二本の単管２に取付するバリケード用標識において、誘導方向や道路状況などの可視情報４を表示する表示部５を備えた標識体６の上側部に、前記バリケード３の上側の単管２を締付抱持固定する第一クランプ金具７を設けると共に、標識体６の下側部にバリケード３の下側の単管２を締付抱持固定する第二クランプ金具８を設け、前記第一クランプ金具７と前記第二クランプ金具８の少なくとも一方を、前記標識体６に対してスライド移動可能に設けて、この第一クランプ金具７と第二クランプ金具８との間隔を、前記バリケード３の上下二本の単管２の間隔に合せて広狭スライド調整可能に構成したことを特徴とするバリケード用標識に係るものである。
【００１０】
また、前記標識体６の上部若しくは下部に長穴形状のガイド穴９を形成し、このガイド穴９に沿ってスライド移動自在に前記第一クランプ金具７若しくは第二クランプ金具８を取付したことを特徴とする請求項１記載のバリケード用標識に係るものである。
【００１１】
また、単管支持部１間に二本の単管２を上下に間隔をおいて略平行に架設して成るバリケード３のこの上下二本の単管２に取付するバリケード用標識において、誘導方向や道路状況などの可視情報４を表示する表示部５を備えた標識体６の上側部に、前記バリケード３の上側の単管２を締付抱持固定する第一クランプ金具７を設けると共に、標識体６の下側部にバリケード３の下側の単管２を締付抱持固定する第二クランプ金具８を設け、前記標識体６は、前記第一クランプ金具７を有する上側半体10と、前記第二クランプ金具８を有する下側半体11とから成る構成とすると共に、この上側半体10の下側部と下側半体11の上側部とを回動自在に枢着して、この上側半体10と下側半体11の枢着部12を支点に上側半体10と下側半体11とを回動調整することで、第一クランプ金具７と第二クランプ金具８との間隔を広狭調整可能に構成したことを特徴とするバリケード用標識に係るものである。
【発明の効果】
【００１２】
本発明は上述のように構成したから、第一クランプ金具，第二クランプ金具により標識体をバリケードの単管に確固に固定できるので、強風時でも標識体がバタつきにくく且つ単管に対する横移動も良好に防止されることになり、しかも、第一クランプ金具と第二クランプ金具との間隔を、大きさやメーカーの仕様上の違いにより異なるバリケードの二本の単管の間隔に合せて広狭スライド調整できるので、様々な大きさや様々なメーカー製のバリケードに対して取付固定でき、その上、本発明の構成は、簡易構成であるため容易に設計実現可能で量産性にも秀れるなど、極めて実用性に秀れた画期的なバリケード用標識となる。
【００１３】
また、請求項２記載の発明においては、標識体に対して第一クランプ金具と第二クランプ金具との少なくとも一方がスライド移動可能となる構成を簡易構成により容易に設計実現可能となる一層実用性に秀れた構成のバリケード用標識となる。
【発明を実施するための最良の形態】
【００１４】
好適と考える本発明の実施形態（発明をどのように実施するか）を、図面に基づいて本発明の作用を示して簡単に説明する。
【００１５】
バリケード３の上側の単管２に、標識体６上側部の第一クランプ金具７を締付抱持固定すると共に、バリケード３の下側の単管２に、標識体６下側部の第二クランプ金具７を締付抱持固定すると、バリケード３に対して本発明品が固定される。
【００１６】
この際、バリケード３は、大きさやメーカーの仕様上の違いにより、単管支持部１間に上下に間隔をおいて略平行に架設する二本の単管２の間隔が異なるが、本発明のバリケード用標識は、第一クランプ金具７と第二クランプ金具８の少なくとも一方を、標識体６に対してスライド移動させるか、若しくは標識体６を構成する上側半体10と下側半体11の枢着部12を支点に上側半体10と下側半体11とを回動調整することで、この第一クランプ金具７と第二クランプ金具８との間隔を、前記バリケード３の上下二本の単管２の間隔に合せて広狭スライド調整して取付固定できる。従って、取付するためのバリケード３を選ばず、汎用性が高い。
【００１７】
この本発明品を固定したバリケード３を適当な場所へ設置し、標識体６の表示部５に表示された可視情報４を、例えば車両の運転者や歩行者などに視認させて誘導などを促す。
【００１８】
また、本発明は、前記特許文献１のような単管への取付構造とは異なり、単管２を締付抱持固定する第一クランプ金具７，第二クランプ金具８を用いて標識体６をバリケード３に確固に固定するので、たとえ強風時でも標識体６がバタつきにくい上、単管２に対して標識体６が横移動することも防止されて、確実に標識としての機能を果たすことになる。
【００１９】
また、本発明の第一クランプ金具７，第二クランプ金具８は、例えば既存の単管クランプを採用することで容易に構成可能であるし、この第一クランプ金具７と第二クランプ金具８の少なくとも一方を標識体６にスライド移動可能に設けるか、若しくは標識体６を、第一クランプ金具７を有する上側半体10と、第二クランプ金具８を有する下側半体11とから成る構成として、この上側半体10の下側部と下側半体11の上側部とを回動自在に枢着する構成とすることで本発明は実現可能であるので、この構成は簡易な構成であり実現化が容易である。
【００２０】
また、例えば、前記標識体６の上部若しくは下部に、長穴形状のガイド穴９を形成し、このガイド穴９に沿ってスライド移動自在に前記第一クランプ金具７若しくは第二クランプ金具８を取付した構成とすれば、標識体６に対して第一クランプ金具７若しくは第二クランプ金具８がスライド移動可能となる構成を簡易構成により容易に設計実現可能となるので、一層実用的となる。
【実施例１】
【００２１】
本発明の具体的な実施例１について図１〜図３に基づいて説明する。
【００２２】
本実施例は、図１に示すような、単管支持部１間に二本の単管２を上下に間隔をおいて略平行に架設して成るバリケード３のこの上下二本の単管２に取付するバリケード用標識であって、標識体６の上側部に前記バリケード３の上側の単管２を締付抱持固定する第一クランプ金具７を設けると共に、標識体６の下側部にバリケード３の下側の単管２を締付抱持固定する第二クランプ金具８を設けている。
【００２３】
具体的には、本実施例の標識体６は、図１，図２に示すように、ブロー成形により上下方向に長さを有すると共に、略くの字状を呈する中空形状の樹脂製平板体に一体成形している。
【００２４】
また、この標識体６の左右表面（両側の板面）を表示部５としてこの表示部５に可視情報４を表示し得るように構成している。図面では、標識体６の表裏面の中程部に、標識体６の全体形状に同調する略くの字状の凹所を横方向に二箇所一体成形すると共に、上端部に略三角形状の凹所を一体成形し、この各凹所に可視情報４としての反射シール４Ａを貼付することで、視線誘導式の反射標識を構成した場合を示している。
【００２５】
また、この標識体６は、図１，図２における左側の谷形縁部の上側部と下側部とを凹状形状となるように一体成形し、この上下の各凹状部を取付凹部13としてこの各取付凹部13に前記第一クランプ金具７と前記第二クランプ金具８とを取付している。
【００２６】
本実施例の第一クランプ金具７と第二クランプ金具８とは、単管２を抱持する抱持縁を有する抱持体14の基端部に、同じく抱持縁を有する締付抱持体15の基端部を枢着し、この抱持体14の先端部に締付ボルト16の基端部を枢着し、この締付ボルト16の先端部を締付抱持体15の先端部に設けた係合部17に係合して前記締付ボルト16に螺合したナット18を締め付け回動することにより単管２を強固に締め付け抱持するように構成した公知の単管クランプを採用している。
【００２７】
また、この第一クランプ金具７と第二クランプ金具８とは、この第一クランプ金具７と第二クランプ金具８で締付抱持固定した単管２が標識体６の板面に対して直交方向に配設するように、即ちバリケード３の単管２に対して標識体６が直交状態で取付固定されることとなるように、標識体６の前記各取付凹部13に取付した構成としている。
【００２８】
また、本実施例では、前記第二クランプ金具８を、前記標識体６に対してスライド移動可能に設けて、第一クランプ金具７と第二クランプ金具８との間隔を、前記バリケード３の上下二本の単管２の間隔に合せて広狭スライド調整可能に構成している。
【００２９】
具体的には、標識体６の下側の前記取付凹部13の最も凹んだ位置に存する面部を上下方向に長さを有するガイド面部13Ａに形成し、このガイド面部13Ａに略平行な沿設状態にして上下方向に長さを有する長穴形状のガイド穴９を標識体６の下部に形成し、このガイド穴９に沿ってスライド移動自在に第二クランプ金具８を取付する構成としている。
【００３０】
このガイド穴９に対する第二クランプ金具８の取付構造について更に詳しく説明すると、図３に示すように、第二クランプ金具８の抱持体14に断面略コ字状の取付具19を付設し、この取付具19の両側の遊離板部19Ａ間に、標識体６下側の取付凹部13のガイド面部13Ａと、ガイド穴９との間に存する部位で構成される断面角棒状の挟着部23を嵌入し、この際ガイド穴９位置に達する取付具19両側の遊離板部19Ａの先端部間にビス21を架設してビス21先端にナット22を螺着することで、ガイド穴９にビス21を貫通配設して取付部19（第二クランプ金具８）をガイド穴９に対し抜け止め状態に保持して取付した構造としている。
【００３１】
また、このビス21・ナット22の締付により遊離板部19Ａ間を狭めて前記挟着部23を挟み込み締付することで、この挟着部23に対して第二クランプ金具８を位置決め状態とでき、ナット22を緩めて遊離板部19Ａ間を広げることで、ガイド穴９に沿ってビス21が許容される範囲で第二クランプ金具８を上下方向にスライド移動させることができる構成としている。
【００３２】
即ち、図２において、第二クランプ金具８をＬ２幅分スライド調整して第一クランプ金具７と第二クランプ金具８との間隔を広狭調整可能となるように構成している。尚、図２では、第二クランプ金具８を第一クランプ金具７側へ最大限スライド移動させて、第一クランプ金具７と第二クランプ金具８との間隔を最小間隔Ｌ１となるように狭めた場合を示しており、この最小間隔Ｌ１から、最大Ｌ２幅分間隔を広げるように第二クランプ金具８をスライド移動させて第一クランプ金具７と第二クランプ金具８を間隔調整可能である。
【００３３】
従って、バリケード３は、大きさやメーカーの仕様上の違いにより、単管支持部１間に上下に間隔をおいて略平行に架設する二本の単管２の間隔が異なるが、本実施例では、第二クランプ金具８を、標識体６に対して上下方向にスライド移動させることができるので、この第一クランプ金具７と第二クランプ金具８との間隔を、前記バリケード３の上下二本の単管２の間隔に合せて広狭スライド調整して取付固定できる構成としている。
【００３４】
また、本実施例の取付具19は、両側の遊離板部19Ａの夫々の途中部を対向内側に向けて屈曲して段差部20を形成し、この段差部20より遊離板部19Ａ間の奥側へ前記挟着部23を嵌入すると、この段差部24により挟着部23が抜け止め状態となって常時取付具19の中間板部19Ｂが前記ガイド面部13Ａに当接若しくは近接状態となるように維持される構成としている。
【００３５】
従って、これにより、遊離板部19Ａ間を意図的に開かない限りビス21とナット22との締付がなくとも第二クランプ金具８が挟着部23に対して脱落しない状態に保持されるので、ナット22を緩めて第二クランプ金具８をスライド移動させる際に、第二クランプ金具８がガタつきにくく容易にスライド移動操作でき、また、組立時にも、取付具19が挟着部23に対して仮止めされたような状態となるのでビス21とナット22とを簡単に取付できて製作が容易に行われることになる。
【００３６】
また、本実施例では、標識体６の厚み（板厚）寸法を、第一クランプ金具７，第二クランプ金具８の横幅に略合致する寸法に設定構成し、これにより第一クランプ金具７，第二クランプ金具８が標識体６の表裏面から大きく突出しない構成として、この第一クランプ金具７，第二クランプ金具８に不意に触れることによる負傷などを生じにくくしている。
【実施例２】
【００３７】
本発明の具体的な実施例２について図４〜図７に基づいて説明する。
【００３８】
本実施例は、前記実施例１において、第二クランプ金具７のスライド構造をなくし、代わりに、標識体６を、第一クランプ金具７を有する上側半体10と、第二クランプ金具８を有する下側半体11とから成る構成とすると共に、この上側半体10の下側部と下側半体11の上側部とを回動自在に枢着して、この上側半体10と下側半体11の枢着部12を支点に上側半体10と下側半体11とを回動調整することで、第一クランプ金具７と第二クランプ金具８との間隔を広狭調整可能に構成した場合である。
【００３９】
更に詳しく説明すると、本実施例の標識体６は、前記実施例１のそれを中程で分断したかのような略上下対称形状であって略平行四辺形状をなす前記上側半体10と前記下側半体11とで構成し、この上側半体10と下側半体11とは、ブロー成形により中空形状の樹脂製平板体に一体成形している。
【００４０】
また、この上側半体10は、下側部の厚みを他の部位の１／２程度として一側表面が凹んだ薄板形状に一体成形すると共に、下側半体11は、上側部の厚みを他の部位の１／２程度として他側表面が凹んだ薄板形状に一体成形して、この上側半体10の薄厚な下側部と下側半体11の薄厚な上側部とを重合部10Ａ・11Ａとし、この各重合部10Ａ・11Ａを重合した上で、図５，図６中の右側端部を軸ボルト24と取付ナット25で重合止めすると共に、この軸ボルト24と取付ナット25による重合止め部を枢着部12としてこの枢着部12を支点に上側半体10と下側半体11とを回動自在に連結している。
【００４１】
また、各重合部10Ａ・11Ａの図面左側位置も、ガイドボルト26と取付ナット（図示省略）とで重合止めすることで前記軸ボルト24とによって上側半体10と下側半体11とを高強度に連結すると共に、このガイドボルト26を挿通する重合部10Ａと重合部11Ａの各ボルト通し孔27を弧状の長孔に形成して、このボルト通し孔27にガイドボルト26が許容される範囲内で上側半体10を前記枢着部12を支点に回動移動し得るように構成している。
【００４２】
従って、本実施例では、この上側半体10と下側半体11との回動により、第一クランプ金具７と第二クランプ金具８との間隔が狭くなるように最大限上側半体10と下側半体11とを回動調整した状態（図５の状態）における最小間隔Ｌ３から、第一クランプ金具７と第二クランプ金具８との間隔が広くなるように最大限上側半体10と下側半体11とを回動調整した状態（図６の状態）における最大間隔Ｌ４までの範囲内で、第一クランプ金具７と第二クランプ金具８の間隔を広狭調整し得るように構成している。
【００４３】
また、本実施例では、標識体６を上側半体10と下側半体11とに分割形成した構成のため、これに応じて表示部５の可視情報４も中央部で分割して表示した構成としている。
【００４４】
また、本実施例では、下側半体11の下端部にも略三角形状の凹所を一体成形し、この各凹所に可視情報４としての反射シール４Ａを貼付した場合を示している。
【００４５】
他の構成は、実施例１と同様である。
【００４６】
尚、本発明は、実施例１，２に限られるものではなく、各構成要件の具体的構成は適宜設計し得るものである。
【００４７】
例えば、実施例１では、第二クランプ金具８だけがスライド移動する構成とした場合を示したが、第一クランプ金具７だけがスライド移動する構成としても良いし、第一クランプ金具７と第二クランプ金具８が双方共スライド移動する構成としても良い。
【図面の簡単な説明】
【００４８】
【図１】実施例１の使用状態を示す説明斜視図である。
【図２】実施例１を示す側面図である。
【図３】図２のＡ−Ａ線断面図である。
【図４】実施例２の使用状態を示す説明斜視図である。
【図５】実施例２を示す側面図である。
【図６】図５の状態から、上側半体と下側半体とを回動調整して第一クランプ金具と第二クランプ金具との間隔を広くした状態を示す側面図である。
【図７】図６のＢ−Ｂ線断面図である。
【符号の説明】
【００４９】
１  単管支持部
２  単管
３  バリケード
４  可視情報
５  表示部
６  標識体
７  第一クランプ金具
８  第二クランプ金具
９  ガイド穴
10  上側半体
11  下側半体
12  枢着部
【図１】
2009299331.tif 000003
【図２】
2009299331.tif 000004
【図３】
2009299331.tif 000005
【図４】
2009299331.tif 000006
【図５】
2009299331.tif 000007
【図６】
2009299331.tif 000008
【図７】
2009299331.tif 000009